(57)【特許請求の範囲】
【請求項１】
切断定盤Ａの下方に、その切断定盤Ａ内を通って落下する切断ノロ、切粉等の落下物を受ける受板１２を設け、前記切断定盤Ａ側方から前記受板１２上に空気噴出ノズル２５を送り込み、その送り込みに伴う空気の噴出により、前記落下物を送り込み方向前方に吹き飛ばして受板１２から排出する切断ノロ等の落下物清掃装置であって、
上記切断定盤Ａ側方にはその側面に沿って移動可能なリンクチェーン２２の巻取りドラム２１を設け、この巻取りドラム２１は、前記リンクチェーン２２を巻取りドラム２１に一端が固定されたベルト２３を外側にして回転することにより共に巻取り、前記ベルト２３をその他端から引き出すことにより巻取りドラム２１を逆回転させて、前記巻取ったリンクチェーン２２を繰り出すものであり、前記リンクチェーン２２にはその巻取りドラム２１の固定端から先端までの全長に亘って圧縮空気送り込み用チューブ２４が付設されて、その圧縮空気送り込み用チューブ２４の先端に上記空気噴出ノズル２５が設けられていることを特徴とする切断ノロ等の落下物清掃装置。
【請求項２】
請求項１において、上記巻取りドラム２１に上記ベルト２３の巻取りローラ２７を付設し、この巻取りローラ２７を回転させることにより前記ベルト２３を巻取って前記巻取りドラム２１を回転させて上記リンクチェーン２２を繰り出すようにしたことを特徴とする切断ノロ等の落下物清掃装置。
【請求項３】
請求項１又は２において、上記ベルト２３に代えてワイヤーとしたことを特徴とする切断ノロ等の落下物清掃装置。
【請求項４】
上記リンクチェーン２２の先端にスクレーパ３３を設けたことを特徴とする請求項１乃至３のいずれかに記載の切断ノロ等の落下物清掃装置。
【請求項５】
上記受板１２を上記リンクチェーン２２の繰り出し方向に向かって下向きに傾斜させたことを特徴とする請求項１乃至４のいずれかに記載の切断ノロ等の落下物清掃装置。
【請求項６】
上記巻取りドラム２１を上記切断定盤Ａの対向する両側面にそれぞれ設け、上記受板１２の前記切断定盤Ａの対向する両側面間中程にその側面全長に亘る落下口１２ａを形成し、その落下口１２ａ全長をカバーするコンベア１３をその落下口１２ａの下方に設けたことを特徴とする請求項１乃至５のいずれかに記載の切断ノロ等の落下物清掃装置。
【発明の詳細な説明】
【０００１】
【発明の属する技術分野】
この発明は、切断定盤内を通って落下した切断ノロ、切粉等をその切断定盤下方から取除いて清掃する装置に関するものである。
【０００２】
【従来の技術】
ＮＣガス切断複合装置等により厚板鋼板を自動的に切断・穴開けする際には、格子状等の切断定盤上に厚板鋼板を載置し、ＮＣガス切断装置のガス炎により、その厚板鋼板を定寸切断したり、ドリル穴開けを行う（後述の実施例参照）。この切断・穴開け時、切断ノロ、切粉が切断定盤内を通って下方に落下する。この落下した切断ノロ等の落下物は堆積すると、作業環境を悪化させて作業性に悪影響を与えたり、切断用ガス気流を乱して切断品に悪影響を与える可能性があるため、定期的に清掃して除去する必要がある。
【０００３】
その清掃装置として、特許第２６０７１４４号公報、特開平１１−１９２５４８号公報等に記載のものがある。
【０００４】
【発明が解決しようとする課題】
上記各公報に記載の清掃装置は、切断定盤下方全域に、コンベアを設けたり、スクレーパを設けたものであり、装置全体が大掛かりなものとなって、設備の大型化を招くとともに、コスト的に高いものとなっている。
【０００５】
この発明は、小型低コストで切断ノロ等の落下物を清掃し得るようにすることを課題とする。
【０００６】
【課題を解決するための手段】
上記課題を達成するために、この発明は、切断ノロ等の落下物を受板で受け、その落下物を圧縮空気で一側に吹き飛ばして集めるようにしたのである。
【０００７】
通常、圧縮空気源は、この種の設備工場には必ずあって、圧縮空気を得易く、空気の噴出で、切断ノロ等は容易に吹き飛ばされて集め得るからである。また、空気噴出ノズルは、供給用ホースとともに切断定盤の側方からその下面に容易に送り込む（導き入れる）ことができ、切断定盤下面全域に噴出空気を吹き付けて清掃し得るからである。
【０００８】
【発明の実施の形態】
この発明の実施形態において、切断ノロ等の落下物清掃方法としては、切断定盤を通って落下する切断ノロ、切粉等の落下物を切断定盤下方に設けた受板で受け、切断定盤側方から受板上に空気噴出ノズルを送り込み、その送り込みに伴う空気の噴出により、前記落下物を送り込み方向前方に吹き飛ばして受板から排出する構成を採用し得る。
【０００９】
この清掃方法を成すには、例えば、切断定盤の下方に、その切断定盤から落下する切断ノロ、切粉等の落下物を受ける受板を設け、前記切断定盤側方にはその側面に沿って移動可能なリンクチェーンの巻取りドラムを設け、この巻取りドラムは、前記リンクチェーンを巻取りドラムに一端が固定されたベルトを外側にして回転することにより共に巻取り、前記ベルトをその他端から引き出すことにより巻取りドラムを逆回転させて、前記巻取ったリンクチェーンを繰り出すものであり、前記リンクチェーンにはその巻取りドラムの固定端から先端までの全長に亘って圧縮空気送り込み用チューブが付設されて、その圧縮空気送り込み用チューブの先端に空気噴出ノズルが設けられている構成の清掃装置を採用する。
【００１０】
上記空気噴出ノズルにはスクレーパを付設し、そのスクレーパによっても落下物を送り込み方向前方に押すようにすれば、空気で噴き出し得ない切片等、及び噴き飛ばし残したノロ等の大きな堆積物を機械的に除去し得る。すなわち、清掃効果が増す。
【００１１】
上記切断定盤が並列された台上に載置され、その各台間に上記受板が設けられ、その各台間に清掃エリアがある場合には、その各清掃スペースに沿って上記空気噴出ノズルを移動させ、その各清掃エリア毎に空気噴出ノズルを送り込むようにする。
【００１２】
上記受板は上記空気噴出ノズルの送り込み方向に向かって下向きに傾斜させたものとすれば、ノロ等に落下力が付き、吹き飛ばしによる清掃もし易くなる。
【００１３】
また、上記空気噴出ノズルを上記切断定盤の対向する両側面にそれぞれ設け、上記受板の前記切断定盤の対向する両側面間中程にその側面全長に亘る落下口を形成し、上記切断ノロ等の落下物をその落下口からコンベア上に落下させて所要の位置に搬送するようにすれば、清掃用の空気噴出ノズルの増加した分、作業性が向上するとともに、その各空気噴出ノズルの空気噴射で集めたノロ等を一系列のコンベアで搬送するため、効率もよい。
【００１４】
上記ベルトに代えてワイヤーを採用し得る。ワイヤーはベルトと同様な作用をし得るからである。
【００１５】
【実施例】
この実施例は、橋梁等の構造物の厚板鋼板等の被切断材をＮＣレーザ切断複合機を用いて定寸切り及び穴開けする装置において、その被切断材の載置用切断定盤の下方に落下したノロや切粉等を搬出する清掃装置に採用したものである。
【００１６】
定寸切り・穴開け装置は、図１に示すように、基台１０上にハニカム形状のアルミ製切断定盤Ａの所要枚数を載置し、その基台１０上にレーザ切断機Ｑを縦横に移動させて、切断定盤Ａ上の厚板鋼板Ｂを所要寸法に切断したり、ドリル（図示せず）により穴開けを行う。上記切断定盤Ａは、特願平１１−７５１９３号にその詳細を記載し、切断及び穴開け作業に伴って生じたノロ及び切粉がそのハニカム状切断定盤Ａの空隙から下方に落下する。
【００１７】
基台１０は、Ｉ形鋼１１を並列し、その上面及び下面を直交する平板１１ａ及びＩ形鋼１１ｂに固定し、さらに、その中程に受板１２を溶接したものであり、上記ノロ及び切粉はその受板１２上に落下する。平板１１ａは、ノロ等の落下を妨げるため、切断定盤Ａの載置に支障がなければ除去する。受板１２は、図４（ｂ）に示すように、中央に向かって傾斜し、その中央は開口（特許請求の範囲においての「落下口」）１２ａとなって、その開口１２ａにコンベア１３が臨んでいる。このため、両受板１２上のノロ等を中央に押し出せば、開口１２ａからそのコンベア１３上にノロ等は落下して適宜位置に搬送される。基台１０の両側にはその長さ方向に移動自在にこの実施例の清掃装置Ｄが備えられている。この清掃装置Ｄは基台１０に沿うレール１４上をその長さ方向に移動可能にスライダー１６を介して取付けられており、そのレール１４側面のラック１５にピニオン（図示せず）が噛み合い、そのピニオンの回転により清掃装置Ｄが所要位置に移動される。
【００１８】
清掃装置Ｄは、図２乃至図３（ｃ）に示すように、下面に上記スライダー１６を固着した移動台２０に巻取りドラム２１を回転自在に取付け、この巻取りドラム２１にリンクチェーン２２がその外側にベルト２３を当てがって巻取可能となっている。リンクチェーン２２及びベルト２３はその一端が巻取りドラム２１に固定されて巻取りドラム２１の回転によって巻取られる。巻取りドラム２１には空気管２４ａが連結され、この空気管２４ａは巻取りドラム２１内を通ってリンクチェーン２２に設けた圧縮空気送り込み用チューブ２４に連結されている。この圧縮空気送り込み用チューブ２４はリンクチェーン２２の全長に亘って設けられて、その先端の空気噴出ノズル２５に接続されている。このため、この圧縮空気送り込み用チューブ２４を通じて空気噴出ノズル２５から空気が噴出される。リンクチェーン２２（圧縮空気送り込み用チューブ２４）及び空気噴出ノズル２５は移動台２０から折曲可能に突出状態で設けられたガイド体３１に案内されて前方に送り出される。そのガイド体３１の側面に近接スイッチからなるセンサ３２が設けられ、このセンサ３２によるＩ形鋼１１のウエブの検出により、空気噴出ノズル２５が清掃エリアＳの入口の適正位置にあることを確認し、リンクチェーン２２が伸びた際、受板１２上を円滑に走行し得るか否かを判断する。図中、３３はノズルカバーを兼用するスクレーパであり、空気では吹き飛ばされない切片などを押す。３４、３４ａは空気噴出ノズル２５を案内する受けローラ又はガイドローラであり、その受けローラ３４はリンクチェーン２２の長さ方向に適宜間隔に設けられてリンクチェーン２２の円滑な走行を確保し、ガイドローラ３４ａはリンクチェーン２２の清掃エリアＳ内の走行において、その傾斜動を抑制して直進走行を確保する。
【００１９】
上記ベルト２３は巻取りドラム２１の下方に設けたベルト案内ローラ２６を介して巻取りローラ２７に巻回されており、この巻取りローラ２７の回転により、ベルト２３が巻き取られ、この巻き取りにつれて巻取りドラム２１も回転してリンクチェーン２２が繰り出される。巻取りドラム２１の回転軸と巻取りローラ２７の回転軸は、一方向クラッチを内蔵したスプロケット２８ａ、２８ｂが設けられ、この両スプロケット２８ａ、２８ｂはチェーン２９で連結されている。その一方のスプロケット２８ａはモータ３０により減速機３０ａを介して回転され、このモータ３０の巻取りドラム２１の巻取り方向の回転に対し、巻取りローラ２７側のクラッチが空回りし、巻取りドラム２１のみが回転して、巻取りローラ２７からベルト２３を繰り出しながら、リンクチェーン２２がそのベルト２３を介在して巻取られる。一方、モータ３０のその逆方向の回転に対しては、巻取りドラム２１側のクラッチが空回りし、巻取りローラ２７のみが回転してベルト２３を巻取り、その巻取りにつれて巻取りドラム２１が回転してリンクチェーン２２が繰り出される。
【００２０】
この実施例は以上の構成であり、つぎにその作用について説明すると、図示しない制御器により、この装置Ｄを、レール１４上を動かし、センサ３２によって端から各清掃エリアＳに順々に対応させ、対応した位置で、空気噴出ノズル２５から空気を噴出させた状態で、巻取りローラ２７を回転させてベルト２３を巻取り、巻取りドラム２１を回しながらリンクチェーン２２を繰り出して、空気噴出ノズル２５を清掃エリアＳ内に送り込んで、空気噴出ノズル２５からの空気の噴出及びスクレーパ３３の押し出しにより、その受板１２上のノロ、切粉等を前方に送り出してコンベア１３上に落下させる。
【００２１】
空気噴出ノズル２５が受板１２の中程まで至れば、それをリンクチェーン２２（ベルト２３）の繰り出し量（巻取り量）等によって検出し、モータ３０を逆転させて巻取りドラム２１を回転させ、リンクチェーン２２及びベルト２３を巻取りドラム２１に巻取り、空気噴出ノズル２５を清掃エリアＳ（受板１２）から退去させる。以後、この作用を、各清掃エリアＳに順々に行うことによって、切断定盤Ａから落下したノロ、切粉等を清掃（除去）する。装置Ｄの移動時には、図３（ａ）鎖線のごとく、エアシリンダ３５により空気噴出ノズル２５（ガイド体３１）を起立させて、その移動に支障がないようにする。
【００２２】
この実施例では、図５に示すように、基台１０（定寸切り・穴開け装置）に、清掃装置Ｄを４台（Ｄ1、Ｄ2、Ｄ3、Ｄ4）設け、Ｄ1、Ｄ2及びＤ3、Ｄ4を同時に作用させて同図右方向に移行させ、Ｄ1、Ｄ2がＤ3、Ｄ4の定位置まで至った後は、Ｄ3、Ｄ4のみで左端まで清掃する。このとき、その各端はセンサ３２の検出ウエブ数で検出する。この掃除装置Ｄの数及び配置態様は任意である。
【００２３】
この実施例において、ベルト２３に代えてワイヤーを採用し得る。さらに、図３（ａ）鎖線で示すように、円弧状のバネ板４０によりベルト（ワイヤー）２３及びチェーン２２を押さえながら巻取り・繰り出しするようにし得る。バネ板４０の押圧力は自己の弾力でもよいが、エアシリンダなどを採用してもよい。このとき、ドラムカバー２１ａの上面の一部に窓を設けるのが好ましい。
【００２４】
なお、空気噴出ノズル２５をエアーチャックとすれば、その空気噴出ノズルの持ち込み・持ち出しが可能となる。また、空気噴出ノズル部（ガイド体３１）にカメラを搭載すれば、人の入れない所の遠隔操作が可能となる。
【００２５】
【発明の効果】
この発明は、以上のようにして、空気噴出により切断ノロ等を清掃するようにしたので、その作業も容易となり、装置も小型かつ低コストなものとし得る。
【図面の簡単な説明】
【図１】この発明の一実施例を採用した定寸切り・穴開け装置の概略斜視図
【図２】同実施例の概略要部斜視図
【図３ａ】同実施例の切断正面図
【図３ｂ】同実施例の一部切欠平面図
【図３ｃ】同実施例の右切断側面図
【図４】（ａ）図１の一部除去要部平面図、（ｂ）図１の一部除去要部正面図
【図５】定寸切り装置の概略平面図
【符号の説明】
Ａ  切断定盤
Ｂ  厚板鋼板
Ｄ  清掃装置
Ｓ  清掃エリア
１０  基台
１１  Ｉ形鋼
１２  受板
１２ａ  開口（落下口）
１３  コンベア
２０  移動台
２１  巻取りドラム
２２  リンクチェーン
２３  ベルト
２４  圧縮空気送り込み用チューブ
２５  空気噴出ノズル
２６  ベルト２３の案内ローラ
２７  ベルト２３の巻取りローラ
２８ａ、２８ｂ  スプロケット
２９  チェーン
３３  スクレーパ
【図１】
0003662803.tif 000002
【図２】
0003662803.tif 000003
【図３ａ】
0003662803.tif 000004
【図３ｂ】
0003662803.tif 000005
【図３ｃ】
0003662803.tif 000006
【図４】
0003662803.tif 000007
【図５】
0003662803.tif 000008